(57)【要約】【解決手段】摘まみ片６１に係止凸部６３を有する挿入軸６２を突設した合成樹脂製の封緘ピン６を用い、容器１を蓋体２で閉塞すると共に、容器のフランジ１１と蓋体のフランジ２１とを重ね合わせて締付リング３を巻回し、締付手段４で蓋体と容器とを締め付けて固定し、この締付手段をロック片５でロックする共に、該ロック片の先端部に設けられた封緘穴５１に、上記封緘ピン３の挿入軸６２を圧入して封緘したことを特徴とする容器の封緘構造。【効果】この考案の封緘構造によれば、煩雑な作業を要することなく、短時間で簡単にペール缶などの容器を密封して封緘することができる。【選択図】図１
0003121176.tif 000002
【実用新案登録請求の範囲】
【請求項１】
上端面が開口していると共に、該上端開口部の外周縁部にフランジが形成された容器と、
該容器の上端開口面を閉塞すると共に、外周縁部に上記容器のフランジと重なり合うフランジを有する蓋体と、
断面略コ字状の金属バンドを有端リング状に湾曲させた締付リングと、
該締付リングの一端部外面に操作レバーの一端を回動可能に連結すると共に、該締付リングの他端部外面にリンク片の一端を回動可能に連結し、かつこのリンク片の他端を上記操作レバーの中間部に回動可能に連結した締付手段と、
上記締付リングの一端部に上記操作レバーよりもやや中間部よりに存して回動可能に取り付けられ、上記操作レバーの回動方向と直交する方向に回動し、先端部が操作レバーに設けられたロック孔に挿通して、上記操作レバーを係止する鉤状のロック片と、
板状に形成された摘まみ片の一面側一端部に挿入軸を突設すると共に、該挿入軸の外周面に一又は複数の係止凸部を突設した合成樹脂製の封緘ピンとを具備してなり、
上記容器の上端開口面を上記蓋体で閉塞すると共に、上記容器のフランジと上記蓋体のフランジとを重ね合わせ、これらフランジに上記締付リングを巻回して該締付リングの内周面に形成された凹溝内に互いに重なり合った両フランジを嵌入し、上記操作レバーを閉方向に回動させて上記締付リングを縮径させることにより、上記蓋体と容器とを締め付けて固定し、上記ロック片を回動させて先端部を上記操作レバーの上記ロック孔に挿し通し、更に該ロック片の先端部に設けられた封緘穴に、上記封緘ピンの挿入軸を圧入して封緘したことを特徴とする容器の封緘構造。
【請求項２】
上記封緘ピンの係止凸部が、頂点から挿入軸先端側が緩やかな傾斜のテーパ面で、頂点から挿入軸基端側が傾斜の急な肩部となっている請求項１記載の容器の封緘構造。
【請求項３】
上記封緘ピンの摘まみ片の他端側が、上記挿入軸が突設された一面側へと折曲している請求項１又は２記載の容器の封緘構造。
【請求項４】
上記封緘ピンがポリプロピレンにより形成されたものである請求項１〜３のいずれか１項に記載の容器の封緘構造。
【請求項５】
上記ロック片の先端部に設けられた封緘穴が、厚さ方向外側が大径で内側が小径に形成されたテーパ穴である請求項１〜４のいずれか１項に記載の容器の封緘構造。
【請求項６】
上記容器がペール缶又はドラム缶である請求項１〜５のいずれか１項に記載の容器の封緘構造。
【考案の詳細な説明】
【技術分野】
【０００１】
この考案は、鋼製ペール缶、樹脂製ペール缶、鋼製ドラム缶、ペイント缶、ミルク缶などの開口部を有す収納容器を蓋体で閉塞し、封緘するための封緘構造に関する。
【背景技術】
【０００２】
従来から、化学品などをペール缶などの開口部を有する容器に充填する場合に、蓋体を容器の開口部に被せて互いのフランジ部を重ね合わせ、そのフランジ部に金属製の締付リングを巻回して締め付けることにより、密封することが行われている（例えば、特許文献１：特開２０００−１７７７６５号公報）。
【０００３】
例えば、図８に示したように、上端面が開口したペール缶１に内容物を収容し、蓋体２でこのペール缶１の上端開口面を閉塞すると共に、ペール缶１の上端開口部の外周縁部に形成されたフランジ１１と蓋体２の外周縁部に形成されたフランジ２１とを重ね合わせ、この重ね合わされた両フランジ１１，１２に締付リング３を巻回して締め付け、ペール缶１を密封することが行われている。
【０００４】
この場合、上記締付リング３には、操作レバー４１とリンク片４２とを具備した締付手段４が設けられている。即ち、上記締付リング３は、断面略コ字状の金属バンドを有端リング状に湾曲させたものであり、図９に示したように、その一端部外面には断面コ字状に形成された操作レバー４１の一端が回動可能に連結されていると共に、締付リング３の他端部外面には一対の板状リンク片４２の一端が回動可能に連結されており、更にこのリンク片４２の他端先端部が上記操作レバー４１の長さ方向中間部に回動可能に連結され、この操作レバー４１とリンク片４２とで締付手段４が構成されている。
【０００５】
この締付手段４による締付操作は、まず図９に示されているように、互いに重ね合わされたペール缶１と蓋体２のフランジ１１，２１に上記締付リング３を巻回し、締付リング３の内周面に形成された凹溝内に両フランジ１１，２１を嵌入して、操作レバー４１の先端側を閉方向（図９中の矢印方向）へと回動させる。これにより、図１０に示したように、リンク片４２を介して締付リング３の他端を操作レバー４１が取付けられた締付リング３の一端へと引き寄せて、締付リング３を縮径させるこにより、ペール缶１のフランジ１１と蓋体２のフランジ２１とを締付け、ペール缶１の上端開口部に蓋体２を固定して密封するものである。
【０００６】
また、この締付リング３の一端部には、図９，１０に示されているように、上記操作レバー４１よりも中間部よりに存して鉤状に折曲した板状のロック片５が回動可能に取り付けられており、このロック片５は上記操作レバー４１の回動方向と直交する方向に回動するようになっている。そして、このロック片５を上記操作レバー４１に向けて（図１０中の矢印方向）回動させ、図１１に示したように、該ロック片５の先端部を操作レバー４１に設けられたロック孔４３（図９参照）に挿通させることにより、上記操作レバー４１を係止して、上記締付リング３による密封固定状態をロックするようになっている。
【０００７】
また、特に化学薬品などを収容したペール缶などの容器では、このように密封した状態で、未開封状態であることを保証するため、図１４に示した結束バンドａを用いて封緘することも行われている。即ち、この結束バンドａは、図１４（Ａ）に示されているように、多数の係合溝が形成された合成樹脂製のバンドｂに上記係合溝と係合するラチェット爪が設けられたラチェット枠ｃを一体に形成したものであり、図１４（Ｂ）に示されているように、バンドｂの先端側を上記ラチェット枠ｃに挿入してループを形成し、このバンドｂの先端側を引っ張ることにより、ループを縮小することができ、このとき上記ラチェット枠ｃ内のラチェット爪が順次バンドｂの係合溝と係合してバンドｂをラチェット枠ｃから引抜くことができなくなるようになっている。なお、この結束バンドａには、社名やロゴ，品名，品番などを表示することができるタグｄが一体に形成されている。
【０００８】
そして、この結束バンドａを用いて封緘操作を行う場合には、例えば図１２に示したように、上記のロック状態が不意に解除しない状態とすると共に、封緘作業の作業性を良好ならしめるために、まず上記ロック片５の先端部を外側へと折り曲げ、次いで図１３に示したように、上記ロック片５の先端部に形成された封緘穴５１に、上記結束バンドａのバンドｂを通し、上述のようにループを形成して、この結束バンドａを切断しなければ、上記締付手段４による固定状態を解除してペール缶１を開けることができない状態とするものである。
【０００９】
このように、ペール缶１などの容器を蓋体２で閉塞し、締付リング３で密閉固定し、結束バンドａを用いて封緘することが、従来から行われている。しかしながら、このように結束バンドａを用いる封緘方法は、その作業が煩雑で、作業性に劣るものである。即ち、上述のように、ロック片５の先端部を折り曲げ、その先端に設けられた封緘穴５１に結束バンドａのバンドｂを通し、更にバンドｂの先端をラチェット枠ｃに通してループを形成し、更にバンドｂを引っ張ってループを縮小させる作業は、非常に細かい作業となり、極めて作業性に劣るものである。この場合、上記ロック片５の折曲作業は、省略することも可能であるが、この折曲作業を省略すると結束バンドａのバンドｂをロック片５の封緘穴５１に通す作業がやり難くなり、かえって作業性が低下する場合もあり、締付リング３を取付けた際に全てのペール缶についてロック片５を折り曲げておき、その後に結束バンドａを用いて封緘作業を行うことが行われている。
【００１０】
【特許文献１】特開２０００−１７７７６５号公報
【考案の開示】
【考案が解決しようとする課題】
【００１１】
この考案は、上記事情に鑑みなされたもので、ペール缶などの容器を蓋体で閉塞し、締付リングを用いて密封固定して封緘する際に、封緘作業を作業性よく効率的に行うことができる容器の封緘構造を提供することを目的とする。
【課題を解決するための手段】
【００１２】
この考案は、上端面が開口していると共に、該上端開口部の外周縁部にフランジが形成された容器と、該容器の上端開口面を閉塞すると共に、外周縁部に上記容器のフランジと重なり合うフランジを有する蓋体と、断面略コ字状の金属バンドを有端リング状に湾曲させた締付リングと、該締付リングの一端部外面に操作レバーの一端を回動可能に連結すると共に、該締付リングの他端部外面にリンク片の一端を回動可能に連結し、かつこのリンク片の他端を上記操作レバーの中間部に回動可能に連結した締付手段と、上記締付リングの一端部に上記操作レバーよりもやや中間部よりに存して回動可能に取り付けられ、上記操作レバーの回動方向と直交する方向に回動し、先端部が操作レバーに設けられたロック孔に挿通して、上記操作レバーを係止する鉤状のロック片と、板状に形成された摘まみ片の一面側一端部に挿入軸を突設すると共に、該挿入軸の外周面に一又は複数の係止凸部を突設した合成樹脂製の封緘ピンとを具備してなり、上記容器の上端開口面を上記蓋体で閉塞すると共に、上記容器のフランジと上記蓋体のフランジとを重ね合わせ、これらフランジに上記締付リングを巻回して該締付リングの内周面に形成された凹溝内に互いに重なり合った両フランジを嵌入し、上記操作レバーを閉方向に回動させて上記締付リングを縮径させることにより、上記蓋体と容器とを締め付けて固定し、上記ロック片を回動させて先端部を上記操作レバーの上記ロック孔に挿し通し、更に該ロック片の先端部に設けられた封緘穴に、上記封緘ピンの挿入軸を圧入して封緘したことを特徴とする容器の封緘構造によって、上記目的を達成したものである。
【００１３】
即ち、この考案の封緘構造では、上述した締付リング３と同様の締付リングを用いて容器と蓋体とを密封固定するものであり、その締付リングの上記ロック片先端に形成された封緘穴に上記封緘ピンを取付けて封緘を行うようになっているので、単に上記ロック片の封緘穴に上記封緘ピンの挿入軸を圧入するだけの極めて簡単な作業によって封緘を行うことができるものであり、ロック片の先端部を折り曲げる必要もなく、結束バンドを用いた場合のようにバンドの先端を小さなラチェット枠内に刺し通すような煩雑な作業を要することもなく、短時間で簡単に封緘作業を行うことができるものである。
【００１４】
なお、開封する場合には、この封緘ピンを引き千切るか、もしくは無理やりに挿入軸を引抜く必要があり、いずれにしても封緘ピンの挿入軸や摘まみ片を破損することなく開封することはできないものである。
【考案の効果】
【００１５】
この考案の封緘構造によれば、煩雑な作業を要することなく、短時間で簡単にペール缶などの容器を密封して封緘することができる。
【考案を実施するための最良の形態及び実施例】
【００１６】
以下、実施例を示し、この考案の最良の形態について説明する。
図１は、本考案の一実施例にかかる封緘構造を示すものであり、上述した図８〜１１と同様の作業によって、ペール缶（容器）１の上端開口部を蓋体２で閉塞し、ペール缶１と蓋体２の両フランジ１１，２１を重ね合わせ、そのフランジ１１，２１に締付リング３を巻回して締付手段４で締め付けることにより、ペール缶１を蓋体２で密封固定し、ロック片５で締付手段４の操作レバー４１をロックし、そのロック片５の封緘穴５１に封緘ピン６を取付けて封緘したものである。なお、上述した図８〜１１に示された構造と同一の構成部分については、以下の説明で参照する図１〜７においても図８〜１１と同一の参照符号を付して、その詳細な説明は省略する。
【００１７】
上記封緘ピン６は、図２〜４に示したように、板状に形成された摘まみ片６１の一面側一端部に挿入軸６２を一体に突設したものである。
【００１８】
上記摘まみ片６１は、図２に示されているように、他端側が上記挿入軸６２が突設された一面側へと折曲して略へ字状に形成されており、その他端側の一面側（挿入軸６２が形成された側の面）には多数の滑り止め段差６１１が形成されている。
【００１９】
また、上記挿入軸６２の先端部は、漸次小径となる先細に形成されていると共に、長さ方向中間部には、４つの係止凸部６３が互いに９０°ずつ変位して突設されている。この係止凸部６３は、いずれも頂点部分が一番幅広で、両端に向かうに従って漸次幅狭に形成されていると共に、頂点から挿入軸６２先端側が緩やかな傾斜のテーパ面６３１で、頂点から挿入軸６２基端側が傾斜の急な肩部６３２となっている。
【００２０】
なお、この封緘ピン６は、合成樹脂により上記摘まみ片６１と挿入軸６２を一体成形することにより得られるが、この場合特に制限されるものではないが、この封緘ピン６はポリプロピレンを用いて形成することが好ましく、これにより後述する挿入軸６２の圧入の際に、各係止凸部６３が良好に弾性変形し、各係止凸部６３が切削されて削れカスが発生することを効果的に防止することができる。
【００２１】
この封緘ピン６を用いた封緘作業は次のようにして行われる。
まず、図８〜１１を参照して説明した上記の手順と同様にして、蓋２でペール缶（容器）１を閉塞し、締付リング３で密封固定し、密封リング３の締付手段４の操作レバー４１をロック片５でロックする。そして、このロック片５の先端部に設けられた封緘穴５１に上記封緘ピン６を取り付けて封緘を行う。
【００２２】
即ち、締付リング３による密封状態では、図６に示したように、ペール缶（容器）１と蓋体２の両フランジ１１，１２が巻回された締付リング３の内周に設けられた凹溝内に嵌入され、該締付リング３の締付手段４を構成する操作レバー４１がロック片５によってロックされ、締付リング３による締付状態が確実に維持されてペール缶（容器）１に蓋体２が固定され密封された状態になっている。
【００２３】
このとき、上記ロック片５の先端部は、図６に示されているように、上記操作レバー４１に設けられたロック孔４３を貫通して操作レバー４１の下側に垂下した状態となっており、このロック片５先端部に設けられた封緘穴５１に、上記封緘ピン６の挿入軸６２を圧入し、図７（Ａ）に示したように、該挿入軸６２の外周面に突設された係止凸部６３を上記封緘穴５１を通過させてロック片５先端部の反対側に位置させ、これら係止凸部６３で挿入軸６２の抜け出しを防止し、この封緘ピン６を破壊することなく、ロック片５の先端部を操作レバー４１のロック穴４３からの抜き出すことが不可能な状態とし、ペール缶（容器）１を封緘するものである。
【００２４】
この場合、図５に示されているように、上記ロック片５の封緘穴５１は、厚さ方向外側が大径で内側が小径に形成されたテーパ穴となっており、更にその内周面が曲面に形成されている。そして、封緘ピン６の上記挿入軸６２に設けられた各係止凸部６３は、上述ように、頂点から挿入軸６２先端側が緩やかな傾斜のテーパ面６３１となっているので、挿入軸６２を封緘穴５１に圧入する際に、この係止凸部６３のテーパ面６３１と封緘穴５１内周面のテーパとの作用によって、各係止凸部６３を良好に変形させてスムーズに圧入作業を行うことができると共に、封緘穴５１のエッジが各係止凸部６３の表面を切削することを効果的に防止することができ、削れカスの発生によりペール缶（容器）１の周囲や作業場所を汚すことが防止され、封緘時のコンタミネーションの発生を効果的に防止することができる。
【００２５】
その一方、上記ロック穴５１の厚さ方向内側は小径に形成されていると共に、上記各係止凸部６３の頂点から挿入軸６２基端側は傾斜の急な肩部６３２となっているので、挿入軸６２を封緘穴５１から引き抜こうとした場合には、封緘穴５１の内側エッジが各係止凸部６３の上記肩部６３２に確実に食い込み、これら係止凸部６３を破損させることなく、挿入軸６２を引き抜くことは不可能である。
【００２６】
従って、上記ロック片５による操作レバー４１のロック状態を解除して、ペール缶（容器）１を開封するためには、上記封緘ピン６１の摘まみ片６１を摘んで挿入軸６２と摘まみ片６１との接合部でこの封緘ピン６１を引き千切るしか方法はなく、確実にペール缶（容器）１を封緘することができるものである。またこの場合、摘まみ片６１を引き千切ることなく、挿入軸６２を封緘穴５１から引き抜いたとしても、上述のように、各係止凸部６３の肩部６３２には切削傷が確実に付くことになり、一旦開封した後に再び封緘ピン６を取り付けても、各係止凸部６３の肩部６３２に付いた傷を確認することによって、一旦開封されたことを確実に確認することができる。
【００２７】
また上述のように、上記封緘ピン６１の摘まみ片６１は、他端側（取付けた際の先端側）が挿入軸６２が突設された一面側（取付けた際の内側）へと折曲して略へ字状に形成されているので、図１及び図７（Ａ）に示されているように、上記ロック片５の先端部に取付けた際に摘まみ片６１はペール缶（容器）１側へと折曲した状態となって外側へと突出することがないため、ペール缶（容器）１を運ぶ際や、整列、積み上げなどの作業を行う際に、この封緘ピン６１が邪魔になるようなことはなく、またこの封緘ピン６１が引っ掛かって封緘状態が解除されてしまうことも効果的に防止されるようになっている。
【００２８】
このように、上記実施例の封緘構造によれば、単に上記ロック片５の封緘穴５１に上記封緘ピン６の挿入軸６２を圧入するだけの極めて簡単な作業によって封緘を行うことができ、ロック片５の先端部を折り曲げる必要もなく、結束バンドを用いた場合のようにバンドの先端を小さなラチェット枠内に刺し通すような煩雑な作業を要することもなく、短時間で簡単に封緘作業を行うことができるものである。しかも、一旦開封した場合には、その事実を確実に確認することができ、信頼性にも優れるものである。
【００２９】
なお、本考案の容器の封緘構造は、上記実施例に限定されるものではなく、容器と蓋の構成、締付手段の構成、封緘ピンの構成などは適宜変更することができる。例えば、上記実施例では、容器１及び蓋体２のフランジ１１，２１がいずれも平板状である場合を示したが、図７（Ｂ）に示したように、この容器１及び蓋体２のフランジは、鋼製ペール缶などで汎用的に採用され一般に「カール部」と呼ばれる円弧状に湾曲したフランジ１１ａ，２１ａであってもよく、その他の構成も本考案の要旨を逸脱しない範囲で適宜変更して差し支えない。
【図面の簡単な説明】
【００３０】
【図１】この考案の一実施態様にかかる封緘構造を示す部分拡大斜視図である。
【図２】同封緘構造を構成する封緘ピンを示す側面図である。
【図３】同封緘ピンを示す正面図である。
【図４】同封緘ピンを示す上面図である。
【図５】同封緘ピンをロック片の封緘穴に取り付けた状態を示す一部を断面とした拡大側面図である。
【図６】同封緘ピンをロック片の封緘穴に取り付ける際の手順を示す一部を断面とした側面図である。
【図７】（Ａ）は同封緘ピンをロック片の封緘穴に取り付けた状態を示す一部を断面とした側面図であり、（Ｂ）は容器及び蓋体が円弧状に湾曲したフランジを有するものである場合の同状態を示す一部を断面とした側面図である。
【図８】同封緘構造を構成する容器、蓋体及び締付リングを示す斜視図である。
【図９】同封緘構造を構成する際の手順を示す部分拡大斜視図である。
【図１０】同封緘構造を構成する際の手順を示す部分拡大斜視図である。
【図１１】同封緘構造を構成する際の手順を示す部分拡大斜視図である。
【図１２】従来の封緘構造を構成する際の手順を示す部分拡大斜視図である。
【図１３】従来の封緘構造を示す部分拡大斜視図である。
【図１４】従来の封緘構造を構成する結束バンドを示すもので、（Ａ）は未使用状態の正面図、（Ｂ）は使用状態の側面図である。
【符号の説明】
【００３１】
１  ペール缶（容器）
１１，１１ａ  ペール缶（容器）のフランジ
２  蓋体
２１，２１ａ  蓋体のフランジ
３  締付リング
４  締付手段
４１  操作レバー
４２  リンク片
４３  ロック孔
５  ロック片
５１  封緘穴
６  封緘ピン
６１  摘まみ片
６２  挿入軸
６３  係止凸部
６３１  テーパ面
６３２  肩部
【図１】
0003121176.tif 000003
【図２】
0003121176.tif 000004
【図３】
0003121176.tif 000005
【図４】
0003121176.tif 000006
【図５】
0003121176.tif 000007
【図６】
0003121176.tif 000008
【図７】
0003121176.tif 000009
【図８】
0003121176.tif 000010
【図９】
0003121176.tif 000011
【図１０】
0003121176.tif 000012
【図１１】
0003121176.tif 000013
【図１２】
0003121176.tif 000014
【図１３】
0003121176.tif 000015
【図１４】
0003121176.tif 000016